(57)【要約】【課題】係止用舌片の差込作業性を低下させることなく係止用舌片を根元まで切り込み部内に差し込むことができる包装用容器を提供する。【解決手段】包装用容器１は、透明な容器本体１０と矩形状の台紙２０とからなる。容器本体１０は、商品を収納するための凹部１１と、凹部１１の周縁に外方に向けて張り出したフランジ状の張出部１２と、張出部１２の左右両側が裏面側に折り返されて形成され、台紙２０の左右両側縁が上下方向に相対移動自在に挿入される折り返し部１３と、張出部１２の上端縁に設けられた係止用舌片１４と、張出部１２の係止用舌片１４との付け根部分に、係止用舌片１４の左右両側が下方に切り欠かれた切り欠き部１６とを備える。台紙２０は、下端部の左右両側縁が横幅方向にそれぞれ突出して容器本体１０の下部と係合可能となった係止部２１と、上部側に形成され、係止用舌片１４が差し込まれる切り込み部２２とを備える。【選択図】図１
2007314229.tif 000002
【特許請求の範囲】
【請求項１】
商品を収納するための凹部と、該凹部周縁の少なくとも左右両側及び上側に外方に向けて張り出したフランジ状の張出部とを備えた透明な容器本体と、前記張出部に表面が当接して前記凹部を塞ぐ台紙とからなる包装用容器であって、
前記容器本体は、前記凹部の左右両側の前記張出部が前記台紙当接側に折り返されて形成され、前記台紙の左右両側縁が上下方向に相対移動自在に挿入される折り返し部と、前記凹部の上側の前記張出部上端縁に設けられた係止用舌片とを備え、
前記台紙は、下端部の横幅が他の部分よりも広くなるように該下端部の左右両側縁が横幅方向にそれぞれ突出して前記容器本体の下部と係合可能となった係止部と、上部側に形成され、前記係止用舌片が差し込まれる切り込み部とを備えてなり、
更に、前記容器本体は、前記張出部上端縁の前記係止用舌片との付け根部分に、該係止用舌片の左右両側が下方に切り欠かれた切り欠き部が形成されてなることを特徴とする包装用容器。
【発明の詳細な説明】
【技術分野】
【０００１】
本発明は、商品を収納するための凹部と、当該凹部周縁の少なくとも左右両側及び上側に外方に向けて張り出したフランジ状の張出部とを備えた透明な容器本体と、前記張出部に表面が当接して前記凹部を塞ぐ台紙とからなる包装用容器に関する。
【背景技術】
【０００２】
前記包装用容器として、従来、例えば、図８に示すようなものが知られており、この包装用容器１００は、商品を収納するための凹部１０２と、この凹部１０２の周縁に外方に向けて張り出したフランジ状の張出部１０３とを備えた透明な容器本体１０１と、容器本体１０１の張出部１０３の裏面に表面が当接して前記凹部１０２を塞ぐ台紙１０６とからなる（特開２００５−７５４６０号公報参照）。
【０００３】
前記容器本体１０１は、張出部１０３の左右両側が裏面側（台紙１０６の当接側）に折り返されて形成され、当該台紙１０６の左右両側縁が上下方向に相対移動自在に挿入される折り返し部１０４と、張出部１０３の上端縁に設けられた係止用舌片１０５とを更に備える。尚、前記折り返し部１０４は、張出部１０３の左右両側の下端を除いて形成されている。
【０００４】
前記台紙１０６は、下端部の横幅が他の部分よりも広くなるように当該下端部の左右両側縁が横幅方向にそれぞれ突出して容器本体１０１の下部（折り返し部１０４の下端）と係合可能となった係止部１０７と、上部側に形成され、容器本体１０１の係止用舌片１０５が差し込まれる切り込み部１０８と、切り込み部１０８よりも上端側に形成され、商品販売時に吊り下げ用のフックが挿通される吊り下げ穴１０９とを備える。
【０００５】
この包装用容器１００によれば、容器本体１０１の凹部１０２内に商品が収納された後、台紙１０６の左右両側縁が容器本体１０１の下方から折り返し部１０４内に挿入され、係止部１０７と折り返し部１０４の下端とが係合するまで当該台紙１０６が容器本体１０１に対し上方に移動せしめられる。そして、折り返し部１０４の下端と係止部１０７とが係合すると、係止用舌片１０５が台紙１０６側に折り曲げられて切り込み部１０８内に差し込まれる。
【０００６】
このようにして、商品は、当該包装用容器１００により包装され、また、台紙１０６の係止部１０７と折り返し部１０４の下端とが係合することによって容器本体１０１の下方への移動が制止されるとともに、容器本体１０１の係止用舌片１０５が台紙１０６の切り込み部１０８内に差し込まれることによって容器本体１０１の上方への移動が制止されることで、当該包装用容器１００が開封されることはなく、包装された状態に維持される。
【０００７】
【特許文献１】特開２００５−７５４６０号公報
【発明の開示】
【発明が解決しようとする課題】
【０００８】
ところで、凹部１０２内に収納した商品の重量などによって切り込み部１０８内に差し込まれた係止用舌片１０５を抜け難くするためには、当該係止用舌片１０５をより深く切り込み部１０８内に差し込む必要がある。
【０００９】
しかしながら、上記従来の包装用容器１００では、係止用舌片１０５が切り込み部１０８内により深く差し込まれるように、当該係止用舌片１０５の付け根と切り込み部１０８との間の長さ（張出部１０３の上端縁と切り込み部１０８との間の上下方向における長さ）を短くすると、係止用舌片１０５の差込時に当該係止用舌片１０５の折り曲げ量が多くなって（折り曲げ角度が大きくなって）折り曲げ難くなり、係止用舌片１０５を切り込み部１０８内に差し込み難くなるため、係止用舌片１０５の切り込み部１０８内への差込量を大きくするには一定の限界があった。
【００１０】
本発明は、以上の実情に鑑みなされたものであって、係止用舌片の差込作業性を低下させることなく係止用舌片を根元まで切り込み部内に差し込むことができる包装用容器の提供をその目的とする。
【課題を解決するための手段】
【００１１】
上記目的を達成するための本発明は、
商品を収納するための凹部と、該凹部周縁の少なくとも左右両側及び上側に外方に向けて張り出したフランジ状の張出部とを備えた透明な容器本体と、前記張出部に表面が当接して前記凹部を塞ぐ台紙とからなる包装用容器であって、
前記容器本体は、前記凹部の左右両側の前記張出部が前記台紙当接側に折り返されて形成され、前記台紙の左右両側縁が上下方向に相対移動自在に挿入される折り返し部と、前記凹部の上側の前記張出部上端縁に設けられた係止用舌片とを備え、
前記台紙は、下端部の横幅が他の部分よりも広くなるように該下端部の左右両側縁が横幅方向にそれぞれ突出して前記容器本体の下部と係合可能となった係止部と、上部側に形成され、前記係止用舌片が差し込まれる切り込み部とを備えてなり、
更に、前記容器本体は、前記張出部上端縁の前記係止用舌片との付け根部分に、該係止用舌片の左右両側が下方に切り欠かれた切り欠き部が形成されてなることを特徴とする包装用容器に係る。
【００１２】
この発明によれば、容器本体の凹部内に商品を収納した後、台紙の左右両側縁を容器本体の下方から折り返し部内に挿入し、係止部と容器本体の下部とが係合するまで当該台紙を容器本体に対し上方に移動させる。そして、容器本体の下部と係止部とが係合すると、係止用舌片を台紙側に折り曲げて切り込み部内に差し込む。このようにして、当該包装用容器により前記商品を包装することができる。
【００１３】
容器本体は、その下部と台紙の係止部とが係合することによって下方への移動が制止されるとともに、その係止用舌片が台紙の切り込み部内に差し込まれることによって上方への移動が制止されるようになっており、これによって、当該包装用容器が開封されることはなく、包装された状態を維持することができる。
【００１４】
本発明では、張出部上端縁の係止用舌片との付け根部分に、当該係止用舌片の左右両側が下方に切り欠かれた切り欠き部を形成したので、係止用舌片の上下方向における長さが長くなるとともに、係止用舌片の付け根部の剛性が許容可能な範囲内で低下し、当該係止用舌片を折り曲げ易くすることができる。
【００１５】
これにより、係止用舌片の付け根と切り込み部との間の長さを短くして、係止用舌片の差込時における折り曲げ量が多くなっても（折り曲げ角度が大きくなっても）、当該係止用舌片の差込作業性が低下することはなく、また、係止用舌片の付け根と切り込み部との間の長さを短くすることで、当該係止用舌片を根元まで切り込み部内に差し込むことが可能となり、当該係止用舌片を切り込み部から抜け難くすることができる。
【発明の効果】
【００１６】
斯くして、本発明に係る包装用容器によれば、張出部上端縁の係止用舌片との付け根部分に、当該係止用舌片の左右両側が下方に切り欠かれた切り欠き部を形成し、当該係止用舌片を折り曲げ易くすることで、係止用舌片の付け根と切り込み部との間の長さを短くして係止用舌片をより深く切り込み部内に差し込むことができるとともに、当該係止用舌片の差込作業を容易にすることができる。
【発明を実施するための最良の形態】
【００１７】
以下、本発明の具体的な実施形態について、添付図面に基づき説明する。尚、図１は、本発明の一実施形態に係る包装用容器の概略構成を示した正面図であり、図２は、図１に示した包装用容器の背面図である。また、図３は、図１における矢示Ａ方向の側面図であり、図４は、図１における矢示Ｂ方向の底面図であり、図５は、図１における矢示Ｃ−Ｃ方向の断面図である。また、図６は、図１に示した容器本体及び台紙の正面図である。
【００１８】
図１乃至図６に示すように、本例の包装用容器１は、例えば、化粧品といった商品を収納するための凹部１１と、この凹部１１の周縁に外方に向けて張り出したフランジ状の張出部１２とを備えた透明な容器本体１０と、容器本体１０の張出部１２の裏面に表面が当接して前記凹部１１を塞ぐ台紙２０とからなる。
【００１９】
前記容器本体１０は、張出部１２の左右両側が裏面側（台紙２０の当接側）に折り返されて形成され、当該台紙２０の左右両側縁が上下方向に相対移動自在に挿入される折り返し部１３と、張出部１２の上端縁からその上側に向けて延設され、先端部が半円形に形成された係止用舌片１４と、凹部１１の下端の左右にそれぞれ下方に突出して、張出部１２の下端縁と上下方向における位置が略同じとなるように設けられた支持部１５と、張出部１２の上端縁の係止用舌片１４との付け根部分に、当該係止用舌片１４の左右両側が下方に半円形に切り欠かれて形成された切り欠き部１６とを更に備えており、例えば、透明な合成樹脂を所定の形状に成形することで得られる。
【００２０】
前記凹部１１は、収納される前記商品がすっぽりと収まるように当該商品の外形と略同形状に形成され、前記折り返し部１３は、張出部１２の左右両側の下端を除いて形成されている。
【００２１】
前記台紙２０は、下端部の横幅が他の部分よりも広くなるように当該下端部の左右両側縁が横幅方向にそれぞれ突出して容器本体１０の下部（折り返し部１３の下端）と係合可能となった係止部２１と、上部側の適宜位置に左右方向に形成され、容器本体１０の係止用舌片１４が差し込まれる切り込み部２２と、切り込み部２２よりも上端側に形成され、商品販売時に吊り下げ用のフックが挿通される吊り下げ穴２３とを備えており、例えば、矩形状をした厚紙から構成される。
【００２２】
尚、張出部１２の下端縁と折り返し部１３の下端との間の上下方向における長さと、係止部２１の高さ、即ち、台紙２０の下端縁と係止部２１の上端縁との間の上下方向における長さとは、略同一寸法に形成されている。
【００２３】
以上のように構成された本例の包装用容器１によれば、容器本体１０の凹部１１内に商品を収納した後、台紙２０の左右両側縁を容器本体１０の下方から折り返し部１３内に挿入し、係止部２１と折り返し部１３の下端とが係合するまで当該台紙２０を容器本体１０に対し上方に移動させる。そして、折り返し部１３の下端と係止部２１とが係合すると、係止用舌片１４を台紙２０側に折り曲げて切り込み部２２内に差し込む。このようにして、当該包装用容器１により前記商品を包装することができる。
【００２４】
尚、容器本体１０は、折り返し部１３の下端と台紙２０の係止部２１とが係合することによって下方への移動が制止されるとともに、その係止用舌片１４が台紙２０の切り込み部２２内に差し込まれることによって上方への移動が制止されるようになっており、これによって、当該包装用容器１が開封されることはなく、包装された状態を維持することができる。
【００２５】
そして、この包装用容器１によって包装された商品は、台紙２０の吊り下げ穴２３内に吊り下げ用のフックが挿通されたり、張出部１２の下端縁と支持部１５を下にして起立状態とされて、販売のために陳列される。
【００２６】
上述したように、本例の包装用容器１では、張出部１２の上端縁の係止用舌片１４との付け根部分に、当該係止用舌片１４の左右両側が下方に切り欠かれた切り欠き部１６を形成したので、係止用舌片１４の上下方向における長さが長くなるとともに、係止用舌片１４の付け根１４ａ部の剛性が許容可能な範囲内で低下し、当該係止用舌片１４を折り曲げ易くすることができる。
【００２７】
これにより、係止用舌片１４の付け根１４ａと切り込み部２２との間の長さを短くして、係止用舌片１４の差込時における折り曲げ量が多くなっても（折り曲げ角度が大きくなっても）、当該係止用舌片１４の差込作業性が低下することはなく、また、係止用舌片１４の付け根１４ａと切り込み部２２との間の長さを短くすることで、係止用舌片１４を根元まで切り込み部２２内に差し込むことが可能となり、当該係止用舌片１４を切り込み部２２から抜け難くすることができる。
【００２８】
このように、本例の包装用容器１によれば、張出部１２の上端縁の係止用舌片１４との付け根部分に、当該係止用舌片１４の左右両側が下方に切り欠かれた切り欠き部１６を形成し、当該係止用舌片１４を折り曲げ易くすることで、係止用舌片１４の付け根１４ａと切り込み部２２との間の長さを短くして係止用舌片１４をより深く切り込み部２２内に差し込むことができることができるとともに、当該係止用舌片１４の差込作業を容易にすることができる。
【００２９】
以上、本発明の一実施形態について説明したが、本発明の採り得る具体的な態様は、何らこれに限定されるものではない。
【００３０】
上例では、前記包装用容器１によって包装される商品の一例として、化粧品を挙げたが、この包装用容器１によって包装する商品は、化粧品に限定されるものではなく、各種の商品を包装することができる。また、容器本体１０を合成樹脂から、台紙２０を厚紙から構成したが、容器本体１０や台紙２０の材質は、上例のものに限定されるものではない。
【００３１】
また、上例では、前記切り欠き部１６の切り欠き形状を、張出部１２側のみが切り欠かれるようにしたが、これに限られるものではなく、図７に示すように、張出部１２側の付け根及び係止用舌片１４側の付け根１４ａの両方が切り欠かれるようにしても良い。
【００３２】
尚、係止用舌片１４の付け根１４ａから先端部までの上下方向における長さＡ１（図１参照）、及び切り欠き部１６の上下方向における長さＡ２（図１参照）は、長さＡ１と長さＡ２の比が２：１〜５：１となるように設定することが好ましい。例えば、長さＡ１を１０ｍｍとした場合には、長さＡ２は２ｍｍ〜５ｍｍの範囲に設定する。このような寸法設定とすれば、係止用舌片１４の切り込み部２２への差込作業性と係止用舌片１４の切り込み部２２からの抜け難さとのバランスを最適なものとすることができる。
【図面の簡単な説明】
【００３３】
【図１】本発明の一実施形態に係る包装用容器の概略構成を示した正面図である。
【図２】図１に示した包装用容器の背面図である。
【図３】図１における矢示Ａ方向の側面図である。
【図４】図１における矢示Ｂ方向の底面図である。
【図５】図１における矢示Ｃ−Ｃ方向の断面図である。
【図６】図１に示した容器本体及び台紙の正面図である。
【図７】本発明の他の実施形態に係る包装用容器の概略構成を示した正面図である。
【図８】従来例に係る包装用容器の概略構成を示した正面図である。
【符号の説明】
【００３４】
１      包装用容器
１０    容器本体
１１    凹部
１２    張出部
１３    折り返し部
１４    係止用舌片
１４ａ  付け根
１５    支持部
１６    切り欠き部
２０    台紙
２１    係止部
２２    切り込み部
２３    吊り下げ穴
【図１】
2007314229.tif 000003
【図２】
2007314229.tif 000004
【図３】
2007314229.tif 000005
【図４】
2007314229.tif 000006
【図５】
2007314229.tif 000007
【図６】
2007314229.tif 000008
【図７】
2007314229.tif 000009
【図８】
2007314229.tif 000010